(57)【要約】【課題】サーバとコンソールの間の距離が長距離であっても、最適な映像を得ることができる映像信号調整システム及びその制御方法を提供する。【解決手段】メインユニット５０の自動調整回路５２１（５２２）がサーバ１１から出力されるＲＧＢ信号のゲイン及び周波数特性を調整し、コンソールユニット４１の自動調整回路４１６がメインユニット５０から出力されるＲＧＢ信号のゲイン、周波数特性及び遅延を調整する。よって、サーバとコンソールの間に伝送されるＲＧＢ信号のゲイン、周波数特性が２度調整され、当該ＲＧＢ信号の遅延が１度調整される。【選択図】図１１
2010098564.tif 000002
【特許請求の範囲】
【請求項１】
サーバと、キーボード、マウス、モニタを含むコンソールとの間に接続可能な映像信号調整システムであって、
前記サーバに接続されるサーバユニットと、
前記サーバユニットに接続され、前記サーバから出力される映像信号のゲイン及び周波数特性を調整する第１調整手段を含むメインユニットと、
前記メインユニットと前記コンソールとの間に接続され、前記メインユニットから出力される映像信号のゲイン、周波数特性及び遅延を調整する第２調整手段を含むコンソールユニットと
を備えることを特徴とする映像信号調整システム。
【請求項２】
前記メインユニットは、第１スイッチを含み、
前記第１調整手段は、前記第１スイッチの押下又は前記コンソールからの映像信号の調整指示に従って、前記サーバから出力される映像信号のゲイン及び周波数特性を調整することを特徴とする請求項１に記載の映像信号調整システム。
【請求項３】
前記コンソールユニットは、第２スイッチを含み、
前記第２調整手段は、前記第２スイッチの押下又は前記コンソールからの映像信号の調整指示に従って、前記メインユニットから出力される映像信号のゲイン、周波数特性及び遅延を調整することを特徴とする請求項１又は２に記載の映像信号調整システム。
【請求項４】
前記コンソールユニットは、第２スイッチを含み、
前記第１調整手段は、前記第２スイッチの押下又は前記コンソールからの映像信号の調整指示に従って、前記サーバから出力される映像信号のゲイン及び周波数特性を調整し、
前記第２調整手段は、前記第２スイッチの押下又は前記コンソールからの映像信号の調整指示に従って、前記メインユニットから出力される映像信号のゲイン、周波数特性及び遅延を調整することを特徴とする請求項１に記載の映像信号調整システム。
【請求項５】
前記メインユニットは、前記サーバから出力される映像信号のゲイン及び周波数特性の調整に使用された情報を記憶する第１記憶手段を備えることを特徴とする請求項１乃至４のいずれか１項に記載の映像信号調整システム。
【請求項６】
前記コンソールユニットは、前記メインユニットから出力される映像信号のゲイン、周波数特性及び遅延の調整に使用された情報を記憶する第２記憶手段を備えることを特徴とする請求項１乃至５のいずれか１項に記載の映像信号調整システム。
【請求項７】
前記第１調整手段は、
レシーバと、
前記サーバから出力されるゲイン調整用信号及び周波数特性調整用信号を入力し、前記ゲイン調整用信号及び前記周波数特性調整用信号の減衰量を測定する測定回路と、
前記ゲイン調整用信号の減衰量と前記レシーバに印加される電圧との関係を示す第１テーブルと、前記周波数特性調整用信号の減衰量と前記レシーバに印加される電圧との関係を示す第２テーブルとを含み、前記測定回路で測定されたゲイン調整用信号及び周波数特性調整用信号の減衰量、並びに第１及び第２テーブルに基づいて、前記レシーバに電圧を印加する電圧印加手段とを備え、
前記レシーバは、前記電圧印加手段に印加された電圧に応じて、前記サーバから出力される映像信号のゲイン及び周波数特性を調整することを特徴とする請求項１乃至６のいずれか１項に記載の映像信号調整システム。
【請求項８】
前記第２調整手段は、
レシーバと、
前記サーバから出力される映像信号、ゲイン調整用信号及び周波数特性調整用信号を入力し、前記ゲイン調整用信号及び前記周波数特性調整用信号の減衰量、並びに前記映像信号の遅延量を測定する測定回路と、
前記測定回路で測定された映像信号の遅延量に応じて、映像信号の遅延を調整する遅延回路と、
前記ゲイン調整用信号の減衰量と前記レシーバに印加される電圧との関係を示す第１テーブルと、前記周波数特性調整用信号の減衰量と前記レシーバに印加される電圧との関係を示す第２テーブルとを含み、前記測定回路で測定されたゲイン調整用信号及び周波数特性調整用信号の減衰量、並びに第１及び第２テーブルに基づいて、前記レシーバに電圧を印加する電圧印加手段とを備え、
前記レシーバは、前記電圧印加手段に印加された電圧に応じて、前記サーバから出力される映像信号のゲイン及び周波数特性を調整することを特徴とする請求項１乃至６のいずれか１項に記載の映像信号調整システム。
【請求項９】
サーバと、キーボード、マウス、モニタを含むコンソールとの間に接続され、サーバユニット、メインユニット及びコンソールユニットを含む映像信号調整システムの制御方法であって、
前記サーバから出力される映像信号のゲイン及び周波数特性を調整する第１調整工程と、
前記メインユニットから出力される映像信号のゲイン、周波数特性及び遅延を調整する第２調整工程を備えることを特徴とする映像信号調整システムの制御方法。
【発明の詳細な説明】
【技術分野】
【０００１】
本発明は、映像信号調整システム及びその制御方法に関する。
【背景技術】
【０００２】
従来より、複数のサーバと、該複数のサーバに対して信号の入出力を行うためのキーボード、マウス及びモニタの周辺機器とが接続可能なＫＶＭスイッチ（Ｋ：キーボード、Ｖ：ビデオ、Ｍ：マウス）が知られている（例えば、特許文献１参照）。このＫＶＭスイッチは、キーボード、マウス及びモニタ等のコンソールからアクセスするサーバを切り替えることができる。
【０００３】
また、従来より、複数のサーバと複数のコンソールとを多対多の関係で接続するＫＶＭスイッチが知られている。
【特許文献１】特開２００５−１８１３５号公報
【発明の開示】
【発明が解決しようとする課題】
【０００４】
ところで、ＫＶＭスイッチは、サーバからの映像信号をモニタに表示させるが、ＫＶＭスイッチとサーバ間の距離又はＫＶＭスイッチとコンソール間の距離が長距離（例えば、１００ｍ）になる場合、サーバからの映像信号に減衰、ひずみ及び遅延が生じ、ユーザは最適な画像表示を得られない場合がある。
【０００５】
特に、複数のサーバと複数のコンソールとが接続されるＫＶＭスイッチでは、映像信号の出力レベルがサーバ毎に異なるので、各映像信号の減衰、ひずみ、及び遅延などの調整は容易ではない。
【０００６】
本発明の目的は、サーバとコンソールの間の距離が長距離であっても、最適な映像を得ることができる映像信号調整システム及びその制御方法を提供することにある。
【課題を解決するための手段】
【０００７】
上記目的を達成するため、本発明の映像信号調整システムは、サーバと、キーボード、マウス、モニタを含むコンソールとの間に接続可能な映像信号調整システムであって、前記サーバに接続されるサーバユニットと、前記サーバユニットに接続され、前記サーバから出力される映像信号のゲイン及び周波数特性を調整する第１調整手段を含むメインユニットと、前記メインユニットと前記コンソールとの間に接続され、前記メインユニットから出力される映像信号のゲイン、周波数特性及び遅延を調整する第２調整手段を含むコンソールユニットとを備えることを特徴とする。
【０００８】
かかる構成によれば、サーバとコンソールの間に伝送される映像信号のゲイン、周波数特性が２度調整され、当該映像信号の遅延が１度調整されるので、サーバとコンソールの間の距離が長距離であっても、最適な映像を得ることができる。
【０００９】
好ましくは、前記メインユニットは、第１スイッチを含み、前記第１調整手段は、前記第１スイッチの押下又は前記コンソールからの映像信号の調整指示に従って、前記サーバから出力される映像信号のゲイン及び周波数特性を調整することを特徴とする。
【００１０】
かかる構成によれば、第１スイッチの押下又はコンソールからの映像信号の調整指示に従って、サーバとメインユニットの間に伝送される映像信号のゲイン及び周波数特性を調整することができる。
【００１１】
好ましくは、前記コンソールユニットは、第２スイッチを含み、前記第２調整手段は、前記第２スイッチの押下又は前記コンソールからの映像信号の調整指示に従って、前記メインユニットから出力される映像信号のゲイン、周波数特性及び遅延を調整することを特徴とする。
【００１２】
かかる構成によれば、第２スイッチの押下又はコンソールからの映像信号の調整指示に従って、メインユニットとコンソールの間に伝送される映像信号のゲイン及び周波数特性並びにサーバとコンソールの間に伝送される映像信号の遅延を調整することができる。
【００１３】
好ましくは、前記コンソールユニットは、第２スイッチを含み、前記第１調整手段は、前記第２スイッチの押下又は前記コンソールからの映像信号の調整指示に従って、前記サーバから出力される映像信号のゲイン及び周波数特性を調整し、前記第２調整手段は、前記第２スイッチの押下又は前記コンソールからの映像信号の調整指示に従って、前記メインユニットから出力される映像信号のゲイン、周波数特性及び遅延を調整することを特徴とする。
【００１４】
かかる構成によれば、第２スイッチの押下又はコンソールからの映像信号の調整指示に従って、サーバとコンソールの間に伝送される映像信号のゲイン、周波数特性及び遅延を一括で調整することができる。
【００１５】
好ましくは、前記メインユニットは、前記サーバから出力される映像信号のゲイン及び周波数特性の調整に使用された情報を記憶する第１記憶手段を備えることを特徴とする。
【００１６】
かかる構成によれば、サーバから出力される映像信号のゲイン及び周波数特性の再調整を迅速に実行することができる。
【００１７】
好ましくは、前記コンソールユニットは、前記メインユニットから出力される映像信号のゲイン、周波数特性及び遅延の調整に使用された情報を記憶する第２記憶手段を備えることを特徴とする。
【００１８】
かかる構成によれば、メインユニットから出力される映像信号のゲイン及び周波数特性の再調整並びにサーバから出力される映像信号の遅延の再調整を迅速に実行することができる。
【００１９】
好ましくは、前記第１調整手段は、レシーバと、前記サーバから出力されるゲイン調整用信号及び周波数特性調整用信号を入力し、前記ゲイン調整用信号及び前記周波数特性調整用信号の減衰量を測定する測定回路と、前記ゲイン調整用信号の減衰量と前記レシーバに印加される電圧との関係を示す第１テーブルと、前記周波数特性調整用信号の減衰量と前記レシーバに印加される電圧との関係を示す第２テーブルとを含み、前記測定回路で測定されたゲイン調整用信号及び周波数特性調整用信号の減衰量、並びに第１及び第２テーブルに基づいて、前記レシーバに電圧を印加する電圧印加手段とを備え、前記レシーバは、前記電圧印加手段に印加された電圧に応じて、前記サーバから出力される映像信号のゲイン及び周波数特性を調整することを特徴とする。
【００２０】
かかる構成によれば、メインユニットが映像信号のゲイン及び周波数特性を調整することができる。
【００２１】
好ましくは、前記第２調整手段は、レシーバと、前記サーバから出力される映像信号、ゲイン調整用信号及び周波数特性調整用信号を入力し、前記ゲイン調整用信号及び前記周波数特性調整用信号の減衰量、並びに前記映像信号の遅延量を測定する測定回路と、前記測定回路で測定された映像信号の遅延量に応じて、映像信号の遅延を調整する遅延回路と、前記ゲイン調整用信号の減衰量と前記レシーバに印加される電圧との関係を示す第１テーブルと、前記周波数特性調整用信号の減衰量と前記レシーバに印加される電圧との関係を示す第２テーブルとを含み、前記測定回路で測定されたゲイン調整用信号及び周波数特性調整用信号の減衰量、並びに第１及び第２テーブルに基づいて、前記レシーバに電圧を印加する電圧印加手段とを備え、前記レシーバは、前記電圧印加手段に印加された電圧に応じて、前記サーバから出力される映像信号のゲイン及び周波数特性を調整することを特徴とする。
【００２２】
かかる構成によれば、コンソールユニットが映像信号のゲイン、周波数特性及び遅延を調整することができる。
【００２３】
本発明の映像信号調整システムの制御方法は、サーバと、キーボード、マウス、モニタを含むコンソールとの間に接続され、サーバユニット、メインユニット及びコンソールユニットを含む映像信号調整システムの制御方法であって、前記サーバから出力される映像信号のゲイン及び周波数特性を調整する第１調整工程と、前記メインユニットから出力される映像信号のゲイン、周波数特性及び遅延を調整する第２調整工程を備えることを特徴とする。
【００２４】
かかる構成によれば、サーバとコンソールの間に伝送される映像信号のゲイン、周波数特性が２度調整され、当該映像信号の遅延が１度調整されるので、サーバとコンソールの間の距離が長距離であっても、最適な映像を得ることができる。
【発明の効果】
【００２５】
本発明によれば、サーバとコンソールの間の距離が長距離であっても、最適な映像を得ることができる。
【発明を実施するための最良の形態】
【００２６】
以下、図面を参照しながら本発明の実施の形態を説明する。
【００２７】
図１は、本実施の形態にかかる映像信号調整システムの概略構成を示す図である。
【００２８】
図１に示す映像信号調整システムは、サーバ１１〜１８、ＫＶＭスイッチ１、及びコンソール２１〜２８を備えている。ＫＶＭスイッチ１は、サーバ及びコンソールを最大８組まで接続可能なマルチユーザＫＶＭスイッチである。コンソール２１〜２８は、各々モニタ、キーボード、及びマウスを備えている。以下、モニタは対応するコンソールの参照番号に符号ａを付けて表し、キーボード及びマウスは対応するコンソールの参照番号に符号ｂを付けて表す。
【００２９】
ＫＶＭスイッチ１は、サーバユニット３１〜３８、メインユニット５０及びコンソールユニット４１〜４８を備えている。サーバユニット３１〜３８は、それぞれサーバ１１〜１８に接続されており、コンソールユニット４１〜４８は、それぞれコンソール２１〜２８に接続されている。サーバユニット３１〜３８とメインユニット５０との間は、約１００ｍのケーブルで接続されており、コンソールユニット４１〜４８とメインユニット５０との間は、約３００ｍのケーブルで接続されている。
【００３０】
ここでは、ＫＶＭスイッチ１のメインユニット５０は、１台のサーバを操作する１組のコンソールを選択的に切り替える。即ち、１台のサーバは１組のコンソールからのマウス、キーボード又はタッチパネルのデータを受信し、当該サーバからのＲＧＢ信号は当該コンソールのモニタに出力される。
【００３１】
本実施の形態では、ＫＶＭスイッチ１は、サーバユニットと、メインユニット５０と、コンソールユニットとがそれぞれ分離しているが、コンソールユニット及びサーバユニットのいずれか一方又は両方がメインユニットと一体化されて構成されていてもよい。
【００３２】
図２は、キーボード・マウス信号に関するメインユニット５０の基本構成を示す図である。
【００３３】
メインユニット５０は、メインマイコン５０１、メモリ５０２、ＦＰＧＡ５０３、差動変換回路５０４〜５０７、及び接続端子５１０〜５１３を備えている。尚、差動変換回路及び接続端子の個数は、これに限定されるものではなく、メインユニット５０は、さらに多くの差動変換回路及び接続端子を備えていてもよい。メインマイコン５０１は、メモリ５０２及びＦＰＧＡ５０３に接続され、ＦＰＧＡ５０３は、差動変換回路５０４〜５０７に接続され、差動変換回路５０４〜５０７は、それぞれ接続端子５１０〜５１３に接続されている。
【００３４】
メインマイコン５０１は、装置全体を制御し、メモリ５０２は、各種のデータやＯＳＤ（オンスクリーンディスプレイ）機能の設定画面のデータ等を記憶している。ＦＰＧＡ５０３は、プログラムにより動作可能なＬＳＩで構成されており、キーボード・マウス信号としてのシリアルデータの出力先の切り換えを行う。
【００３５】
差動変換回路５０４，５０５は、ＦＰＧＡ５０３からのシリアルデータを差動信号に変換し、接続端子５０１，５１１及びサーバユニット３１，３２を介してサーバ１１，１２にそれぞれ出力する。差動変換回路５０６，５０７は、キーボード・マウス信号としての差動信号をコンソールユニット４１，４２及び接続端子５１２，５１３を介して受信し、シリアルデータに変換してＦＰＧＡ５０３に出力する。
【００３６】
図３は、映像信号に関するメインユニット５０の基本構成を示す図である。尚、図２の構成要素と同一の構成要素には、同一の番号を付す。
【００３７】
メインユニット５０は、メインマイコン５０１、メモリ５０２（第１記憶手段）、ＦＰＧＡ５０３、差動変換回路５０４〜５０７、接続端子５１０〜５１３、マトリックスアンプ５２０、自動調整回路５２１，５２２、ＯＳＤコントローラ５２３，５２４及びスイッチ５３１（第１スイッチ）を備えている。メインマイコン５０１、メモリ５０２及び自動調整回路５２１，５２２は、第１調整手段に相当する。
【００３８】
尚、差動変換回路、接続端子、ＯＳＤコントローラ及び自動調整回路の個数は、これに限定されるものではなく、メインユニット５０は、さらに多くの差動変換回路、接続端子、ＯＳＤコントローラ及び自動調整回路を備えていてもよい。接続端子５１０，５１１は、差動変換回路５０４，５０５にそれぞれ接続されている。また、差動変換回路５０４，５０５は、各々マトリックスアンプ５２０及びＦＰＧＡ５０３に接続されている。マインマイコン５０１は、メモリ５０２、ＦＰＧＡ５０３、マトリックスアンプ５２０、自動調整回路５２１，５２２及びＯＥＤコントローラ５２３，５２４に接続されている。自動調整回路５２１，５２２は、差動変換回路５０６，５０７にそれぞれ接続されている。
【００３９】
メインマイコン５０１は、装置全体を制御し、メモリ５０２は、各種のデータやＯＳＤ（オンスクリーンディスプレイ）機能の設定画面のデータ等を記憶している。ＦＰＧＡ５０３は、プログラムにより動作可能なＬＳＩで構成されており、水平同期信号及び垂直同期信号の出力先の切り換えを行う。
【００４０】
マトリックスアンプ５２０は、ＲＧＢ信号の出力先の切り換えを行う。ＯＳＤコントローラ５２３，５２４は、ＯＳＤ機能に関する画面データを差動変換回路５０６，５０７に出力する。
【００４１】
差動変換回路５０４，５０５は、水平同期信号及び垂直同期信号が合成されたＲＧＢ信号をサーバユニット３１，３２からそれぞれ受信し、水平同期信号及び垂直同期信号とＲＧＢ信号とに分離する。分離された水平同期信号及び垂直同期信号はＦＰＧＡ５０３に出力され、分離されたＲＧＢ信号はマトリックスアンプ５２０に出力される。自動調整回路５２１，５２２は、ＲＧＢ信号のゲイン及び周波数特性を自動調整する。スイッチ５３１が押下される又はＯＳＤの設定画面で自動調整の指示が入力されると、メインマイコン５０１は、自動調整回路５２１，５２２にＲＧＢ信号のゲイン及び周波数特性を自動調整させる。
【００４２】
差動変換回路５０６，５０７は、水平同期信号及び垂直同期信号をＲＧＢ信号に合成し、接続端子５１２，５１３を介してそれぞれコンソールユニット４１，４２に出力する。
【００４３】
図４は、自動調整回路５２１の概略構成を示す図である。尚、自動調整回路５２２の構成は自動調整回路５２１のと同様なので、その説明は省略する。
【００４４】
自動調整回路５２１は、レシーバ５５１、Ｄ／Ａコンバータ５５２及び測定回路５５３を備えている。レシーバ５５１は、ゲイン制御端子５５１ａと周波数特性調整端子５５１ｂを備えている。これらの端子には、メインマイコン５０１の制御によってＤ／Ａコンバータ５５２から電圧が供給される。レシーバ５５１は、ゲイン制御端子５５１ａに供給される電圧に応じてＲＧＢ信号のゲインを調整すると共に周波数特性調整端子５５１ｂに供給される電圧に応じてＲＧＢ信号の周波数特性を調整する。
【００４５】
次にゲインの調整について、詳細に説明する。
【００４６】
まず、メインユニット５０からゲインの調整指示がサーバ１１に入力されると、サーバ１１から定電圧信号であるゲイン調整用信号がメインユニット５０に入力される。測定回路５５３がゲイン調整用信号の電圧を測定し、当該ゲイン調整用信号の減衰量を算出する。例えば、ゲイン調整用信号が５Ｖの定電圧信号であり、ゲイン調整用信号の電圧の測定値が４Ｖである場合には、減衰量は２０％（即ち０．２となる）となる。
【００４７】
メインマイコン５０１は、測定回路５５３で算出された減衰量、及びメモリ５０２に格納されている図５のゲイン調整用テーブルに基づいて、レシーバ５５１のゲイン制御端子５５１ａに供給される電圧を決定する。Ｄ／Ａコンバータ５５２は、メインマイコン５０１で決定された電圧をゲイン制御端子５５１ａに供給する。これにより、受信されるＲＧＢ信号のゲインが調整される。
【００４８】
次いで、周波数特性の調整について、詳細に説明する。
【００４９】
メインユニット５０から周波数特性の調整指示がサーバ１１に入力されると、サーバ１１から１４ＭＨｚ及び９０ＭＨｚの周波数特性調整用信号がメインユニット５０に入力される。測定回路５５３は１４ＭＨｚ及び９０ＭＨｚの周波数特性調整用信号の電圧を測定し、減衰量を算出する。
【００５０】
メインマイコン５０１は、測定回路５５３で算出された減衰量、及びメモリ５０２に格納されている図６の周波数特性調整用テーブルに基づいて、周波数特性調整端子５５１ｂに供給される電圧を決定する。Ｄ／Ａコンバータ５５２は、メインマイコン５０１で決定された電圧を周波数特性調整端子５５１ｂに供給する。これにより、受信されるＲＧＢ信号の周波数特性が調整される。尚、ゲイン及び周波数特性の調整は、Ｒ信号、Ｇ信号及びＢ信号の各々の伝送ラインごとに実行される。
【００５１】
メインマイコン５０１は、ゲイン制御端子５５１ａに供給された電圧や周波数特性調整端子５５１ｂに供給された電圧の情報をサーバ毎にメモリ５０２に記憶する。これにより、サーバの切替が実行されたときに、自動調整回路５２１が、選択されたサーバに対応する、ゲイン制御端子５５１ａに供給された電圧や周波数特性調整端子５５１ｂに供給された電圧の情報をメインマイコン５０１を介してメモリ５０２から受信することで、迅速にＲＧＢ信号のゲイン及び周波数特性を自動調整することができる。
【００５２】
図７は、サーバユニット３１の概略構成を示す図である。尚、サーバユニット３２〜３８の各々がサーバユニット３１と同一の構成を有する。
【００５３】
サーバユニット３１は、ＵＳＢ端子３１１、ＰＳ／２端子３１２、シリアル変換部３１３、差動変換回路３１４、及び映像信号・同期信号合成部３１５を備えている。ＵＳＢ端子３１１及びＰＳ／２端子３１２はシリアル変換部３１３に接続されており、差動変換回路３１４はシリアル変換部３１３及び映像信号・同期信号合成部３１５に接続されている。
【００５４】
ＵＳＢ端子３１１は、サーバ１１の不図示のＵＳＢ端子にシリアルデータとしてのキーボード・マウス信号を送信する。ＰＳ／２端子３１２は、サーバ１１の不図示のＵＳＢ端子にシリアルデータとしてのキーボード・マウス信号を送信する。シリアル変換部３１３は、差動信号としてのキーボード・マウス信号を受信し、シリアルデータに変換し、ＵＳＢ端子３１１又はＰＳ／２端子３１２に出力する。
【００５５】
映像信号・同期信号合成部３１５は、サーバ１１からのＲＧＢ信号、水平同期信号及び垂直同期信号を受信し、水平同期信号及び垂直同期信号をＲＧＢ信号に合成し、差動変換回路３１４に出力する。差動変換回路３１４は、メインユニット５０から差動信号としてのキーボード・マウス信号を受信し、シリアル変換部３１３１に出力すると共に水平同期信号及び垂直同期信号が合成されたＲＧＢ信号をメインユニット５０に出力する。
【００５６】
図８は、コンソールユニット４１の概略構成を示す図である。尚、コンソールユニット４２〜４８の各々がコンソールユニット４１と同一の構成を有する。
【００５７】
コンソールユニット４１は、ＵＳＢ端子４１１、ＰＳ／２端子４１２、シリアル変換部４１３、差動変換回路４１４、映像信号・同期信号分離部４１５、及び自動調整回路４１６（第２調整手段）を備えている。ＵＳＢ端子４１１及びＰＳ／２端子４１２はシリアル変換部４１３に接続されており、差動変換回路３１４はシリアル変換部４１３及び映像信号・同期信号分離部４１５に接続されている。また、映像信号・同期信号分離部４１５は、自動調整回路４１６に接続されている。
【００５８】
ＵＳＢ端子４１１及びＰＳ／２端子４１２は、コンソール４１からキーボード・マウス信号を受信する。シリアル変換部４１３は、ＵＳＢ端子４１１又はＰＳ／２端子４１２からキーボード・マウス信号をシリアルデータに変換し、差動変換回路４１４に送信する。
【００５９】
差動変換回路４１４は、シリアル変換部３１３から受信されたシリアルデータを差動信号に変換し、メインユニット５０に出力する。また、差動変換回路４１４は、水平同期信号及び垂直同期信号が合成されたＲＧＢ信号をメインユニット５０から受信し、映像信号・同期信号分離部４１５に送信する。
【００６０】
映像信号・同期信号分離部４１５は、差動変換回路４１４から受信された水平同期信号及び垂直同期信号が合成されたＲＧＢ信号をＲＧＢ信号、水平同期信号及び垂直同期信号に分離し、分離されたＲＧＢ信号、水平同期信号及び垂直同期信号を自動調整回路４１６に送信する。自動調整回路４１６は、ＲＧＢ信号のゲイン、イコライザ及びディレイを自動調整し、調整されたＲＧＢ信号、水平同期信号及び垂直同期信号をコンソール２１に出力する。
【００６１】
図９は、自動調整回路４１６の概略構成を示す図である。
【００６２】
自動調整回路４１６は、レシーバ４５１、Ｄ／Ａコンバータ４５２、測定回路４５３、遅延回路４５４、マイコン４５５（第２記憶手段）及びスイッチ４３１（第２スイッチ）を備えている。レシーバ４５１は、ゲイン制御端子４５１ａと周波数特性調整端子４５１ｂを備えている。これらの端子には、マイコン４５５の制御によってＤ／Ａコンバータ４５２から電圧が供給される。レシーバ５５１は、ゲイン制御端子４５１ａに供給される電圧に応じてＲＧＢ信号のゲインを調整すると共に周波数特性調整端子４５１ｂに供給される電圧に応じてＲＧＢ信号の周波数特性を調整する。
【００６３】
次にゲインの調整について、詳細に説明する。
【００６４】
まず、スイッチ４３１が押下される又はＯＳＤの設定画面で自動調整の指示が入力されると、マイコン４５５は、ゲイン及び周波数特性の調整指示をサーバ１１に出力する。メインユニット５０を介してゲインの調整指示がサーバ１１に入力されると、サーバ１１から定電圧信号であるゲイン調整用信号がメインユニット５０を介してサーバユニット４１の自動調整回路４１６に入力される。測定回路４５３がゲイン調整用信号の電圧を測定し、当該ゲイン調整用信号の減衰量を算出する。例えば、ゲイン調整用信号が５Ｖの定電圧信号であり、ゲイン調整用信号の電圧の測定値が４Ｖである場合には、減衰量は２０％（即ち０．２となる）となる。
【００６５】
マイコン４５５は、測定回路４５３で算出された減衰量、及びマイコン４５５に格納されているゲイン調整用テーブルに基づいて、レシーバ４５１のゲイン制御端子４５１ａに供給される電圧を決定する。尚、マイコン４５５に格納されているゲイン調整用テーブルは、図５のゲイン調整用テーブルと同様である。
【００６６】
Ｄ／Ａコンバータ４５２は、マイコン４５５で決定された電圧をゲイン制御端子４５１ａに供給する。これにより、受信されるＲＧＢ信号のゲインが調整される。
【００６７】
次いで、周波数特性の調整について、詳細に説明する。
【００６８】
スイッチ４３１が押下される又はＯＳＤの設定画面で自動調整の指示が入力されると、マイコン４５５は、ゲイン及び周波数特性の調整指示をサーバ１１に出力する。メインユニット５０を介して周波数特性の調整指示がサーバ１１に入力されると、サーバ１１から１４ＭＨｚ及び９０ＭＨｚの周波数特性調整用信号がメインユニット５０を介してサーバユニット４１に入力される。
【００６９】
測定回路４５３は１４ＭＨｚ及び９０ＭＨｚの周波数特性調整用信号の電圧を測定し、減衰量を算出する。マイコン４５５は、測定回路４５３で算出された減衰量、及びマイコン４５５に格納されている周波数特性調整用テーブルに基づいて、周波数特性調整端子４５１ｂに供給される電圧を決定する。尚、マイコン４５５に格納されている周波数特性調整用テーブルは、図６の周波数特性調整用テーブルと同様である。
【００７０】
Ｄ／Ａコンバータ４５２は、マイコン４５５で決定された電圧を周波数特性調整端子４５１ｂに供給する。これにより、受信されるＲＧＢ信号の周波数特性が調整される。尚、ゲイン及び周波数特性の調整は、Ｒ信号、Ｇ信号及びＢ信号の各々の伝送ラインごとに実行される。
【００７１】
次いで、ＲＧＢ信号の遅延の調整について、詳細に説明する。
【００７２】
まず、スイッチ４３１が押下される又はＯＳＤの設定画面で自動調整の指示が入力されると、マイコン４５５は、遅延の調整指示をサーバ１１に出力する。メインユニット５０を介して遅延の調整指示がサーバ１１に入力されると、サーバ１１からＲＧＢ信号がメインユニット５０を介してサーバユニット４１に入力される。
【００７３】
測定回路４５３がＲ信号、Ｇ信号及びＢ信号の中から基準信号としていずれか１つを選択し、基準信号（例えばＲ信号）に対する他の画像信号（例えばＧ信号及びＢ信号）の遅れを測定する。測定回路４５３は測定結果をマイコン４５５に送信する。マイコン４５５は、当該測定結果に基づいて、遅延回路４５４に画像信号の遅れを調整させる。これにより、Ｒ信号、Ｇ信号及びＢ信号の間の遅延は解消される。
【００７４】
マイコン４５５は、ゲイン制御端子４５１ａに供給された電圧や周波数特性調整端子４５１ｂに供給された電圧の情報及び基準信号に対する他の画像信号の遅れの測定結果をサーバ毎にマイコン４５５のメモリ（不図示）に記憶する。これにより、サーバの切替が実行されたときに、マイコン４５５は、記憶された情報や測定結果を読み出すことで、迅速にＲＧＢ信号のゲイン、周波数特性及び遅延を自動調整することができる。
【００７５】
図１０は、コンソール４１のモニタに表示されるＯＳＤの設定画面の一例を示す図である。この設定画面では、ＲＧＢ信号の調整を行う区間が設定される。
【００７６】
チェックボックス７１がチェックされ、ＯＫボタンが押下されると、図３のスイッチ５３１が押下される場合と同様に、メインユニット５０に含まれる自動調整回路５２１，５２２がＲＧＢ信号のゲイン及び周波数特性の自動調整を行う。チェックボックス７２がチェックされ、ＯＫボタンが押下されると、図９のスイッチ４３１が押下される場合と同様に、コンソールユニット４１に含まれる自動調整回路４１６がＲＧＢ信号のゲイン、周波数特性及び遅延の自動調整を行う。チェックボックス７３がチェックされ、ＯＫボタンが押下されると、自動調整回路５２１，５２２がＲＧＢ信号のゲイン及び周波数特性の自動調整を行うと共に自動調整回路４１６がＲＧＢ信号のゲイン、周波数特性及び遅延の自動調整を行う。この場合、サーバユニットからコンソールユニットまでの間を伝送されるＲＧＢ信号のゲイン、周波数特性及び遅延を一括で自動調整することができる。
【００７７】
図１１は、映像信号調整システムで実行される、自動調整に関する処理を示すフローチャートである。ここでは、サーバの代表としてサーバ１１を使用し、サーバユニットの代表としてサーバユニット３１を使用し、コンソールユニットの代表としてコンソールユニット４１を使用するが、本処理は全てのサーバ及びコンソールユニットに適用される。
【００７８】
まず、メインマイコン５０１は、スイッチ５３１が押下されているか、又はサーバユニット〜メインユニット間若しくはサーバユニット〜コンソールユニット間のＲＧＢ信号の自動調整の指示が入力されているか否かを判別する（ステップＳ１）。
【００７９】
ステップＳ１でＮＯの場合には、後述するステップＳ６に進む。ステップＳ１でＹＥＳの場合には、メインマイコン５０１は、メインユニット５０を介してコンソール４１が接続されているサーバ１１にゲイン及び周波数特性の調整指示を送信する（ステップＳ２）。サーバ１１は、ゲイン調整用信号及び周波数特性調整用信号をメインユニット５０の自動調整回路５２１に出力する（ステップＳ３）。
【００８０】
自動調整回路５２１は、ゲイン調整用信号及び周波数特性調整用信号を使って、ゲイン及び周波数特性の自動調整を行う（ステップＳ４）。このとき、メインマイコン５０１は、ゲイン制御端子５５１ａに供給された電圧や周波数特性調整端子５５１ｂに供給された電圧の情報をサーバ毎にメモリ５０２に記憶し（ステップＳ５）、ステップＳ６に進む。
【００８１】
次に、マイコン４５５は、スイッチ４３１が押下されている、又はメインユニット〜コンソールユニット間若しくはサーバユニット〜コンソールユニット間のＲＧＢ信号の自動調整の指示が入力されているか否かを判別する（ステップＳ６）。
【００８２】
ステップＳ６でＮＯの場合には、本処理を終了する。ステップＳ６でＹＥＳの場合には、マイコン４５５は、メインユニット５０を介してコンソール４１が接続されているサーバ１１にゲイン、周波数特性及び遅延の調整指示を送信する（ステップＳ７）。サーバ１１は、メインユニット５０を介してゲイン調整用信号、周波数特性調整用信号及びＲＧＢ信号を自動調整回路４１６に出力する（ステップＳ８）。
【００８３】
自動調整回路４１６は、ゲイン調整用信号、周波数特性調整用信号及びＲＧＢ信号を使って、ゲイン、周波数特性及び遅延の自動調整を行う（ステップＳ９）。このとき、マイコン４５５は、ゲイン制御端子４５１ａに供給された電圧や周波数特性調整端子４５１ｂに供給された電圧の情報及び基準信号に対する他の画像信号の遅れの測定結果をサーバ毎にマイコン４５５のメモリ（不図示）に記憶し（ステップＳ１０）、本処理を終了する。
【００８４】
図１２は、映像信号調整システムで実行される、自動調整に関する処理の変形例を示すフローチャートである。ここでは、サーバの代表としてサーバ１１を使用し、サーバユニットの代表としてサーバユニット３１を使用し、コンソールユニットの代表としてコンソールユニット４１を使用するが、本処理は全てのサーバ及びコンソールユニットに適用される。
【００８５】
まず、マイコン４５５は、スイッチ４３１が押下されている、又はサーバユニット〜コンソールユニット間のＲＧＢ信号の自動調整の指示が入力されているか否かを判別する（ステップＳ１１）。
【００８６】
ステップＳ１１でＮＯの場合には、本処理を終了する。ステップＳ１１でＹＥＳの場合には、マイコン４５５は、メインユニット５０のメインマイコン５０１にＲＧＢ信号の自動調整の指示を通知し（ステップＳ１２）、メインユニット５０を介してコンソール４１が接続されているサーバ１１にゲイン、周波数特性及び遅延の調整指示を送信する（ステップＳ１３）。サーバ１１は、ゲイン調整用信号、周波数特性調整用信号及びＲＧＢ信号をメインユニット５０の自動調整回路５２１に出力する（ステップＳ１４）。
【００８７】
自動調整回路５２１は、ゲイン調整用信号及び周波数特性調整用信号を使って、ゲイン及び周波数特性の自動調整を行う（ステップＳ１５）。これにより、サーバ１１とメインユニット５０との間に伝送されるＲＧＢ信号のゲイン及び周波数特性の調整ができる。このとき、メインマイコン５０１は、ゲイン制御端子５５１ａに供給された電圧や周波数特性調整端子５５１ｂに供給された電圧の情報をサーバ毎にメモリ５０２に記憶する（ステップＳ１６）。
【００８８】
次いで、自動調整回路５１２は、ゲイン調整用信号、周波数特性調整用信号及びＲＧＢ信号を差動変換回路５０６を介してコンソールユニット４１に送信する（ステップＳ１７）。コンソールユニット４１の自動調整回路４１６は、受信されたゲイン調整用信号、周波数特性調整用信号及びＲＧＢ信号を使って、ゲイン、周波数特性及び遅延の自動調整を行う（ステップＳ１８）。これにより、メインユニット５０とコンソールユニット４１の間に伝送されるＲＧＢ信号のゲイン、周波数特性及び遅延の調整ができる。このとき、マイコン４５５は、ゲイン制御端子４５１ａに供給された電圧や周波数特性調整端子４５１ｂに供給された電圧の情報及び基準信号に対する他の画像信号の遅れの測定結果をサーバ毎にマイコン４５５のメモリ（不図示）に記憶し（ステップＳ１９）、本処理を終了する。
【００８９】
図１２の処理によれば、スイッチ４３１の押下又はサーバユニット〜コンソールユニット間のＲＧＢ信号の自動調整の指示に従って、サーバとコンソールユニットの間に伝送されるＲＧＢ信号のゲイン、周波数特性及び遅延の一括調整ができる。
【００９０】
以上詳細に説明したように、本実施の形態によれば、メインユニット５０の自動調整回路５２１（５２２）がサーバ１１から出力されるＲＧＢ信号のゲイン及び周波数特性を調整し、コンソールユニット４１の自動調整回路４１６がメインユニット５０から出力されるＲＧＢ信号のゲイン、周波数特性及び遅延を調整する。
【００９１】
よって、サーバとコンソールの間に伝送されるＲＧＢ信号のゲイン、周波数特性が２度調整され、当該ＲＧＢ信号の遅延が１度調整されるので、サーバとコンソールの間の距離が長距離であっても、最適な映像を得ることができる。
【００９２】
尚、本発明は、上述した実施の形態に限定されるものではなく、その要旨を逸脱しない範囲内で種々変形して実施することが可能である。
【図面の簡単な説明】
【００９３】
【図１】本実施の形態にかかる映像信号調整システムの概略構成を示す図である。
【図２】キーボード・マウス信号に関するメインユニット５０の基本構成を示す図である。
【図３】映像信号に関するメインユニット５０の基本構成を示す図である。
【図４】自動調整回路５２１の概略構成を示す図である。
【図５】ゲイン調整用テーブルの一例を示す図である。
【図６】周波数特性調整用テーブルの一例を示す図である。
【図７】サーバユニット３１の概略構成を示す図である。
【図８】コンソールユニット４１の概略構成を示す図である。
【図９】自動調整回路４１６の概略構成を示す図である。
【図１０】コンソール４１のモニタに表示されるＯＳＤの設定画面の一例を示す図である。
【図１１】映像信号調整システムで実行される、自動調整に関する処理を示すフローチャートである。
【図１２】映像信号調整システムで実行される、自動調整に関する処理の変形例を示すフローチャートである。
【符号の説明】
【００９４】
１  ＫＶＭスイッチ
１１〜１８  サーバ
２１〜２８  コンソール
３１〜３８  サーバユニット
４１〜４８  コンソールユニット
５０  メインユニット
４１１  ＵＳＢ端子
４１２  ＰＳ／２端子
４１３  シリアル変換部
４１４  差動変換回路
４１５  映像信号・同期信号分離部
４１６  自動調整回路
５０１  メインマイコン
５０２  メモリ
５０３  ＦＰＧＡ
５０４，５０５，５０６，５０７  差動変換回路
５２１，５２２  自動調整回路
５２３，５２４  ＯＳＤコントローラ
【図１】
2010098564.tif 000003
【図２】
2010098564.tif 000004
【図３】
2010098564.tif 000005
【図４】
2010098564.tif 000006
【図５】
2010098564.tif 000007
【図６】
2010098564.tif 000008
【図７】
2010098564.tif 000009
【図８】
2010098564.tif 000010
【図９】
2010098564.tif 000011
【図１０】
2010098564.tif 000012
【図１１】
2010098564.tif 000013
【図１２】
2010098564.tif 000014